(57)【要約】【課題】屋内配置のリモコン装置から、音楽を聞くことができ、設定音声ガイダンスが発せられるときには設定音声ガイダンスを的確に聞くことができるようにする。【解決手段】リモコン装置１は、例えば浴室等の屋内に配置し、ガイダンス発信指令部５２からの設定音声ガイダンスの発信指令を受けて、ガイダンス発信動作部５５が、給湯関連情報変更等の設定音声ガイダンスの発信を行う。台所リモコン２を介して電気的に接続される音楽プレーヤー４１の音楽情報を、音楽受信再生手段５９が再生する。この音楽再生機能の動作中に、前記設定音声ガイダンスの発信指令が発せられたときには、ガイダンス優先音楽音量調節手段５７が音楽情報の再生の音量を小さくする。【選択図】図１
2008185315.tif 000002
【特許請求の範囲】
【請求項１】
屋内に配置され、予め設定された設定音声ガイダンスの発信指令を受けて前記設定音声ガイダンスの発信を行うガイダンス発信機能と、電気的に接続される音楽プレーヤーの音楽情報を再生する音楽再生機能とを有し、該音楽再生機能の動作中に前記設定音声ガイダンスの発信指令が発せられたときに、前記音楽情報の再生の音量を小さくする又は０にするガイダンス優先音楽音量調節手段が設けられていることを特徴とするリモコン装置。
【請求項２】
音楽再生機能の動作中に設定音声ガイダンスの発信指令が発せられたときに、前記設定音声ガイダンスの発信音量を音楽音量よりも大きく可変設定するガイダンス音量可変設定手段が設けられていることを特徴とする請求項１記載のリモコン装置。
【請求項３】
設定音声ガイダンスの発信音量は段階的に異なる複数のレベルにより与えられており、ガイダンス音量可変設定手段は、音楽再生機能の動作中に設定音声ガイダンスの発信指令が発せられたときには、前記設定音声ガイダンスの発信音量のレベルを最大レベルに設定することを特徴とする請求項２記載のリモコン装置。
【請求項４】
設定音声ガイダンスの発信音量は段階的に異なる複数のレベルにより与えられており、ガイダンス音量可変設定手段は、音楽再生機能の動作中に設定音声ガイダンスの発信指令が発せられたときには、前記設定音声ガイダンスの発信音量のレベルを前記設定音声ガイダンスの発信指令の発信前のレベルよりも予め定められたレベル分だけ高く設定することを特徴とする請求項２記載のリモコン装置。
【請求項５】
ガイダンス優先音楽音量調節手段は、設定音声ガイダンスの発信が終了した以降に、音楽情報の再生の音量を徐々に大きくしていき前記設定音声ガイダンスの発信前の音量に戻すことを特徴とする請求項１乃至請求項４のいずれか一つに記載のリモコン装置。
【請求項６】
熱源装置の回路に信号接続されることを特徴とする請求項１乃至請求項５のいずれか一つに記載のリモコン装置。
【請求項７】
浴室に配置される風呂リモコン装置であることを特徴とする請求項６記載のリモコン装置。
【発明の詳細な説明】
【技術分野】
【０００１】
本発明は、設定音声ガイダンスの発信機能と音楽再生機能とを有するリモコン装置であり、例えば給湯器等の熱源装置に接続されて用いられるリモコン装置に関するものである。
【背景技術】
【０００２】
浴槽への自動湯張り機能を備えた給湯器等の熱源装置には、熱源装置を遠隔操作するリモコン装置が信号接続され、浴室や台所に設置されている。これら浴室配置のリモコン装置と台所配置のリモコン装置は、一般に、熱源装置の制御基板（制御装置）を介して信号接続されており、リモコン装置の表示画面に、給湯や湯張りの設定温度、浴槽水位等の給湯関連情報等の情報表示を行うことが一般に行なわれている。
【０００３】
また、例えば熱源装置が浴槽への自動湯張り機能を有している場合に、湯張りが終了したときに、リモコン装置から、「お風呂が沸きました」といった音声ガイダンスを発信する機能を備えたリモコン装置も実用化されている。このように、リモコン装置から音声ガイダンスを発信すると、入浴のタイミングを知ることができ、利用者に快適な入浴を促すことができる（例えば、特許文献１、参照）。
【０００４】
また、設定音声ガイダンスを発信する機能を備えたリモコン装置においては、例えば、台所配置のリモコン装置の操作が行われて、給湯設定温度が変更された時に、「給湯設定温度が２℃低く変更されました」といったような音声ガイダンスが、台所配置のリモコン装置と浴室配置のリモコン装置の両方から出力されることから、例えば熱源装置を家族で利用している場合に、その一人が入浴中に、別の人が台所配置のリモコン装置を操作した場合でも、浴室の利用者がリモコン装置の操作内容（この場合、給湯設定温度の変更）を知ることができ、給湯器等の熱源装置の使い勝手を良くすることができる。
【０００５】
【特許文献１】特開２００５−２３３４４２号公報
【発明の開示】
【発明が解決しようとする課題】
【０００６】
ところで、最近では、入浴時間をより快適にするために、浴室内で音楽等を楽しめるようにすることが試みられており、浴室内に音楽再生用のスピーカを設けている利用者もいる。しかしながら、浴室内にスピーカを設けるには、そのための配線が必要となるために手間や費用がかかり、また、スピーカそのものにも防水加工を施さなければならないため、スピーカが高価になりやすいといった問題があるので、浴室内にスピーカを設けて、利用者が音楽を聞くことは一般的でない。
【０００７】
そこで、本発明者は、浴室配置のリモコン装置に、音楽を再生できる機能を設ければ、もっと手軽に浴室内で音楽を楽しめるのではないかと考えた。しかしながら、浴室配置のリモコン装置から音楽を出力するようにすると、音楽の再生中に台所配置のリモコン装置の操作が行われた場合に、この操作に基づいて発信される音声ガイダンスが、浴室配置のリモコン装置において音楽に邪魔されてうまく聞き取れない可能性がある。そうなると、例えば、給湯設定温度が低く変更されたことを知らずにシャワーを浴びて、出湯温度の低さに不快感を覚えるといったことが生じ、給湯器等の熱源装置の使い勝手が悪くなってしまうことも考えられる。
【０００８】
本発明は、上記課題を解決するためになされたものであり、その目的は、例えば、利用者が浴室等の屋内に配置されたリモコン装置から音楽を聞くことができ、かつ、音声ガイダンスが発せられるときには音声ガイダンスを的確に聞くことができるようにするリモコン装置を提供することにある。
【課題を解決するための手段】
【０００９】
本発明は上記目的を達成するために、次の構成をもって課題を解決する手段としている。すなわち、第１の発明は、屋内に配置され、予め設定された設定音声ガイダンスの発信指令を受けて前記設定音声ガイダンスの発信を行うガイダンス発信機能と、電気的に接続される音楽プレーヤーの音楽情報を再生する音楽再生機能とを有し、該音楽再生機能の動作中に前記設定音声ガイダンスの発信指令が発せられたときに、前記音楽情報の再生の音量を小さくする又は０にするガイダンス優先音楽音量調節手段が設けられている構成をもって課題を解決する手段としている。
【００１０】
また、第２の発明は、前記第１の発明の構成に加え、前記音楽再生機能の動作中に設定音声ガイダンスの発信指令が発せられたときに、前記設定音声ガイダンスの発信音量を音楽音量よりも大きく可変設定するガイダンス音量可変設定手段が設けられている構成をもって課題を解決する手段としている。
【００１１】
さらに、第３の発明は、前記第２の発明の構成に加え、前記設定音声ガイダンスの発信音量は段階的に異なる複数のレベルにより与えられており、ガイダンス音量可変設定手段は、音楽再生機能の動作中に設定音声ガイダンスの発信指令が発せられたときには、前記設定音声ガイダンスの発信音量のレベルを最大レベルに設定することを特徴とする。
【００１２】
さらに、第４の発明は、前記第２の発明の構成に加え、前記設定音声ガイダンスの発信音量は段階的に異なる複数のレベルにより与えられており、ガイダンス音量可変設定手段は、音楽再生機能の動作中に設定音声ガイダンスの発信指令が発せられたときには、前記設定音声ガイダンスの発信音量のレベルを前記設定音声ガイダンスの発信指令の発信前のレベルよりも予め定められたレベル分だけ高く設定することを特徴とする。
【００１３】
さらに、第５の発明は、前記第１乃至第４のいずれか一つの発明の構成に加え、前記ガイダンス優先音楽音量調節手段は、設定音声ガイダンスの発信が終了した以降に、音楽情報の再生の音量を徐々に大きくしていき前記設定音声ガイダンスの発信前の音量に戻すことを特徴とする。
【００１４】
さらに、第６の発明は、前記第１乃至第５のいずれか一つの発明の構成に加え、リモコン装置は、熱源装置の回路に信号接続されることを特徴とする。
【００１５】
さらに、第７の発明は、前記第６の発明の構成に加え、リモコン装置は、浴室に配置される風呂リモコン装置であることを特徴とする。
【発明の効果】
【００１６】
本発明のリモコン装置は、電気的に接続される音楽プレーヤーの音楽情報を再生する音楽再生機能を有するので、利用者は、この音楽再生機能を利用して、例えば浴室等の屋内でリモコン装置から音楽を聞くことができる。また、本発明のリモコン装置は、予め設定された設定音声ガイダンスの発信を行うガイダンス発信機能を有し、前記音楽再生機能の動作中に設定音声ガイダンスの発信指令が発せられたときには、前記音楽情報の再生の音量を小さくする又は０にするガイダンス優先音楽音量調節手段が設けられているので、設定音声ガイダンスが発せられるときには音楽再生の音量が、小さく、または０にされ、設定音声ガイダンスを的確に聞くことができ、使い勝手が良好である。
【００１７】
また、本発明において、ガイダンス音量可変設定手段が設けられているものによれば、音楽再生機能の動作中に設定音声ガイダンスの発信指令が発せられたときには、前記設定音声ガイダンスの発信音量を音楽音量よりも大きく可変設定するので、より的確に設定音声ガイダンスを聞くことができる。
【００１８】
さらに、ガイダンス音量可変設定手段を有する本発明において、設定音声ガイダンスの発信音量が段階的に異なる複数のレベルにより与えられており、音楽再生機能の動作中に設定音声ガイダンスの発信指令が発せられたときには、前記設定音声ガイダンスの発信音量のレベルを最大レベルに設定するものにおいては、設定音声ガイダンスの発信音量のレベルを最大レベルに設定することにより、確実に設定音声ガイダンスを聞くことができる。
【００１９】
さらに、ガイダンス音量可変設定手段を有する本発明において、設定音声ガイダンスの発信音量は段階的に異なる複数のレベルにより与えられており、ガイダンス音量可変設定手段は、音楽再生機能の動作中に設定音声ガイダンスの発信指令が発せられたときには、前記設定音声ガイダンスの発信音量のレベルを前記設定音声ガイダンスの発信指令の発信前のレベルよりも予め定められたレベル分だけ高く設定するものにおいては、このレベル設定により、確実に設定音声ガイダンスを聞くことができる。
【００２０】
さらに、本発明において、設定音声ガイダンスの発信が終了した以降に、ガイダンス優先音楽音量調節手段が音楽情報の再生の音量を徐々に大きくしていき、前記設定音声ガイダンスの発信前の音量に戻すものにおいては、例えば設定音声ガイダンスの発信前の音量が大きかった場合等でも、設定音声ガイダンスの発信終了後に、急に大きな音での音楽情報再生が行われることがなく、音楽情報の再生の音量が徐々に大きくなるので、利用者がより快適に音楽を楽しむことができるリモコン装置を実現できる。
【００２１】
さらに、本発明のリモコン装置を熱源装置の回路に信号接続することにより、熱源装置の遠隔操作と、設定音声ガイダンスの出力と、音楽情報の再生とを行うことができ、しかも、設定音声ガイダンスの出力時の音楽情報再生音量の調節や設定音声ガイダンスの出力設定等により、熱源装置の使い勝手を良好にできる。
【００２２】
さらに、本発明のリモコン装置を浴室に配置される風呂リモコン装置とすることにより、設定音声ガイダンス発生機能と音楽再生機能と前記各効果によって、熱源装置の使い勝手を良好にできると共に、快適な入浴を楽しむことができる。
【発明を実施するための最良の形態】
【００２３】
以下、本発明の実施の形態を図面に基づき説明する。図６は本発明に係る一実施形態例のリモコン装置１と熱源装置としての給湯器２７との配置例を示しており、この実施形態例において、リモコン装置１は屋内の浴室に設置されている風呂リモコン装置である。このリモコン装置１は、給湯器２７の制御装置３に信号接続されて給湯器２７の遠隔操作を行うリモコン装置であり、同じく制御装置３には、台所に配置される台所リモコン（台所リモコン装置）２が信号接続されている。
【００２４】
給湯器２７は、給湯機能と、浴槽２６への自動湯張り機能と、追い焚き機能と、足し湯機能と、ぬる湯機能とを具備する。この実施形態においては、風呂用のリモコン装置１と台所リモコン２は、２芯の信号線を用いて、給湯器２７の回路、つまり、給湯器２７の燃焼制御回路に接続されている。
【００２５】
給湯器２７は浴室の外（建物の外）に配置され、浴室内には浴槽２６が設置され、給湯器２７と浴槽２６とは、追い焚き循環路２５の戻り管２３と往管２４によって配管接続されている。
【００２６】
リモコン装置１は浴槽２６の近くの浴室側壁に設置されるが、その設置位置は浴槽２６内からリモコン装置１の表示画面が見易く、かつ、音楽や設定音声ガイダンスが聞きやすい位置となっている。
【００２７】
図４は本実施形態例のリモコン装置１の外観構成を示すもので、リモコン装置１の筐体ケースの表面側には表示画面３２が設けられている。また、表示画面３２の側部には、リモコンの電源をオン、オフする運転スイッチ３５と、給湯器２７の追い焚き運転を指示する追い焚きスイッチ３３と、給湯器２７の自動運転を指示する自動スイッチ３６と、ラジオ放送や文字放送の視聴用の放送スイッチ３７と、通話スイッチ３８と、スピーカ３４とが設けられている。
【００２８】
さらに、表示画面３２の下側には、給湯や湯張りの温度と浴槽水位を設定する設定スイッチ２８ａ、２８ｂと、給湯温度、湯張り温度、浴槽水位等の各設定モードとを切り替える選択スイッチ２９と、足し湯スイッチ３０と、ぬる湯スイッチ３１とが設けられている。
【００２９】
スイッチ３５、３３、３６、３７、３８にはランプ３９が設けられており、その各スイッチごとに、スイッチの動作が指示されたとき（オン動作されたとき）にはランプ３９の点灯（又は点滅）表示が行われ、スイッチ動作の解除指示がされたとき（オフ動作されたとき）にはランプ３９は消灯されるように構成されている。また、リモコン装置１の筐体ケースの内部には図示されていないマイクが内蔵されている。
【００３０】
図４において、表示画面３２には、給湯関連情報が表示され、この例では、給湯設定温度（４１℃）と、湯張り設定温度（４１℃）が示されており、また、炎４８のマークを用いての給湯器２７が燃焼運転している旨の表示が示されている。なお、給湯関連情報とは例えば、給湯設定温度、湯張り設定温度、湯張り設定水位、風呂温度、湯張り水位、給湯検出温度等の給湯機能の動作と、湯張り機能や保温機能の動作において必要な各種設定値と各種センサ検出値の情報である。また、表示画面３２には時刻表示領域が設けられており、その表示領域に現在の時刻（図４ではＡＭ１０：００）が示されている。
【００３１】
前記給湯設定温度の設定は、選択スイッチ２９によって給湯温度設定モードを選択し、設定スイッチ２８ｂを押すごとに温度を一定温度（例えば１℃）ずつ上昇させ、設定スイッチ２８ａを押すごとに温度を一定温度（例えば１℃）ずつ下降させる操作を行って行われる。同様に、湯張り温度を設定する場合も、選択スイッチ２９によって湯張り温度の設定モードを選択し、設定スイッチ２８ａ、２８ｂを用いて温度を上下調整することにより達成される。
【００３２】
湯張りの水位（浴槽水位）を設定する場合も、選択スイッチ２９によって浴槽水位設定モードを選択し、設定スイッチ２８ｂを押すごとに水位（又は水量）を単位水位（単位水量）ずつ上昇させ、設定スイッチ２８ａを押すごとに水位（又は水量）を単位水位（単位水量）ずつ下降させる操作を行って行われる。
【００３３】
運転スイッチ（給湯スイッチ）３５は、スイッチオンとすることにより、リモコン装置１の電源がオンされて回路を動作可能な状態にし、スイッチオフとすることにより、回路動作を停止状態とするものである。給湯器２７の給湯機能の動作はこの運転スイッチ３５がオンの状態で行われる。
【００３４】
自動スイッチ３６は、湯張り動作から保温動作にかけての一連の動作の開始と停止を指令するものであり、スイッチオンによりその動作が開始し、スイッチオフの状態で動作停止状態となる。
【００３５】
放送スイッチ３７は、ラジオの音声放送（ＦＭラジオ放送）および文字放送（文字情報）の視聴と視聴停止を指令するものである。近年、浴室配置のリモコン装置において、ラジオ放送や文字放送の視聴ができるものが実用化されており、本実施形態例はこのタイプのリモコン装置１を適用しているが、ラジオ放送や文字放送の視聴機能についての詳細説明は省略する。
【００３６】
内蔵のマイクとスピーカ３４は、通常は、他のリモコン装置との間で会話を行うときに使用されるもので、例えば、入浴中に風呂用のリモコン装置１と台所に設置されている台所リモコン２との間で、入浴している者が台所にいる者に浴室にタオルを持ってきてもらう等の要請を行うときの会話に使用される。このような会話を行うときに通話スイッチ３８を押すことにより、通話先の台所リモコン２に呼び出し音が発せられ、居間や、台所にいる者に浴室からの会話の要求を知らせることができるものである。
【００３７】
また、スピーカ３４は、放送スイッチ３７のスイッチオン時に、ラジオの音声放送を発信したり、自動スイッチ３６がオンとされて自動湯張り動作が終了したときに、「お風呂が沸きました」といった予め設定された設定音声ガイダンスを発信したり、設定音声ガイダンスと共に、確認音や予め設定されている短い音楽を発信したりすることも行う。また、スピーカ３４は、台所リモコン２を介してリモコン装置１に電気的に接続される音楽プレーヤーの音楽情報の再生も行う。
【００３８】
このように、本実施形態例のリモコン装置１は、設定音声ガイダンスの発信を行うガイダンス発信機能と、電気的に接続される音楽プレーヤーの音楽情報を再生する音楽再生機能とを有しており、この機能についての詳細は後述する。
【００３９】
図５には台所リモコン２の外観構成が示されている。この台所リモコン２は、前記した風呂用のリモコン装置１から、足し湯スイッチ３０、ぬる湯スイッチ３１、追い焚きスイッチ３３、放送スイッチ３７を除き、入力端子表示部４０、入力端子４５を設けた構成のものであり、それ以外はリモコン装置１と同様であり、リモコン装置１と共通の構成部分には同一符号を付して重複説明は省略する。
【００４０】
入力端子表示部４０は、台所リモコン２の下面において、入力端子表示部４０の近傍位置に入力端子４５があることを表示するものである。この入力端子４５には、例えば図５に示すような携帯型の音楽プレーヤー４１を、接続線４２を介して接続することができる。接続線４２の両端側には、それぞれ、ミニプラグ４３，４４が設けられており、一端側のミニプラグ４３が音楽プレーヤー４１に接続され、他端側のミニプラグ４４が入力端子４５に接続されることによって音楽プレーヤー４１と台所リモコン２とが電気的に接続される。そして、音楽プレーヤー４１により音楽再生操作を行うと、この音楽情報が台所リモコン２により受信される。
【００４１】
なお、入力端子４５にミニプラグ４４が差し込まれると、通話スイッチ３８のランプ３９が点滅し、スピーカ３４から確認音が鳴るようになっている。また、台所リモコン２と風呂のリモコン装置１とは電気的に接続されているので、台所リモコン２への音楽プレーヤー４１の接続により、音楽プレーヤー４１は本実施形態例のリモコン装置１とも電気的に接続され、前記確認音は、浴室配置のリモコン装置１のスピーカ３４からも発信される。
【００４２】
次に、リモコン装置を用いて行なう給湯器２７の動作の一例を図６に示す給湯器２７の模式構成に基づき簡単に説明する。なお、図６に示す給湯器２７の自体の構成は公知であるので、給湯装置自体の構成説明は省略する。
【００４３】
給湯器２７の給湯機能の動作は、リモコン装置１又は台所リモコン２の運転スイッチ３５をオンし、この状態で給湯管路１１の給湯先に設けられている給湯栓（図示せず）を開くことにより開始する。給湯栓の開により、制御装置３は流量センサ４により給水管路５を通水する最低作動流量以上の流量を検出すると、給湯バーナ１０を燃焼し、給湯熱交換器７を通る水を加熱して湯を作成し、その湯を給湯管路１１を通して台所や浴室等の給湯先へ供給する。
【００４４】
この給湯機能の動作では、制御装置３は入水温度センサ６による入水温と、流量センサ４による給湯量と、給湯温度センサ８による給湯温（出湯温）との検出情報に基づき、給湯湯温が台所リモコン２（又はリモコン装置１）で設定された給湯設定温度となるように、ガス通路９から供給されるガス量を図示されていない比例弁の開弁量によって制御する。給湯動作は給湯先の給湯栓が閉止されることによって終了する。つまり、給湯栓の閉止によって流量センサ４が通水の停止を検出したときに、制御装置３は給湯バーナ１０へのガス供給を遮断し、給湯バーナ１０の燃焼を停止する。
【００４５】
給湯器２７の自動運転は、湯張り機能の動作、追い焚き機能の動作、保温機能の動作を連続的に行うもので（湯張り完了時の浴槽水温度が湯張り設定温度（風呂設定温度）以上のときは追い焚き機能の動作は行われない）、前記運転スイッチ３５がオンされている状態で、リモコン装置１（又は、台所リモコン２）の自動スイッチ３６をオンすることにより開始する。
【００４６】
そうすると、注湯電磁弁１３が開かれ、前記給湯機能の動作と同様に給湯熱交換器７を通る水は給湯バーナ１０の燃焼加熱により湯となり、その湯は、給湯管路１１から注湯路１４に入り、戻り管２３と往管２４を有して構成される追い焚き循環路２５を通して浴槽２６へ落とし込まれる。浴槽２６の水位は水位センサ２０としての圧力センサによって検出され、この検出水位が浴槽の設定水位に達したときに注湯電磁弁１３が閉じられ、湯張り動作が終了する。この湯張りの動作においては、制御装置３は、湯張りの湯温が湯張り設定温度となるように給湯バーナ１０の燃焼量を制御する。
【００４７】
湯張りが完了したときに注湯電磁弁１３が閉じられる。そして、循環ポンプが起動されて浴槽水の温度（湯温）が風呂温度センサ１８によって検出され、検出温度が湯張り設定温度（風呂設定温度）よりも低いときには追い焚き機能の動作が行われる。
【００４８】
追い焚き機能の動作とは、循環ポンプ２１が駆動されて浴槽２６の湯水が追い焚き循環路２５を通して循環されるもので、この循環水が流水スイッチ２２で検知されたときに風呂バーナ１６が燃焼駆動され、追い焚き熱交換器１５を通るときに循環湯水を加熱昇温して浴槽湯水の追い焚きを行う動作である。この追い焚き動作は、風呂温度センサ１８が風呂温度を検出し、その検出温度が風呂設定温度に達したときに風呂バーナ１６の燃焼停止と循環ポンプ２１の停止とが行なわれて終了する。
【００４９】
そして、自動運転の動作においては、引き続き、予め設定された設定時間だけ、保温機能の動作が行なわれる。この保温機能の動作は、所定の時間間隔で、循環ポンプ２１を短時間起動し、浴槽２６の湯を追い焚き循環路２５を通して循環し、風呂温度センサ１８により浴槽２６の湯温（風呂温度）を検出する。風呂（浴槽湯水）の検出温度が風呂の設定温度よりも許容範囲を外れて低下したときには、循環ポンプ２１を駆動して浴槽２６の湯水を追い焚き循環路２５を通して循環しながら、風呂バーナ１６の燃焼により追い焚き熱交換器１５で加熱し、追い焚きを行う。そして、風呂温度センサ１８の検出温度が風呂の設定温度に達したときに循環ポンプ２１を停止し、風呂バーナ１６の燃焼を停止する。
【００５０】
また、リモコン装置１の追い焚きスイッチ３３が押されたときには、前記追い焚き機能の動作が単独の動作として行われる。また、リモコン装置１の足し湯スイッチ３０が押されると、湯張り設定温度の湯が一定量（例えば２０リットル）給湯熱交換器７側から浴槽２６へ落としこまれる。さらに、リモコン装置１のぬる湯スイッチ３１が押されると、ぬる湯機能の動作が行われ、給水の水が加熱されずに一定量（例えば１０リットル）給湯熱交換器７側から浴槽２６へ落としこまれる。
【００５１】
なお、図６において、１２は流量センサ、２２は流水スイッチ、１９は循環ポンプ２１の吐出口と追い焚き熱交換器１５の入水口を連通接続する管路、１７は風呂バーナ１６へのガス通路をそれぞれ示している。
【００５２】
本実施形態例のリモコン装置１は、前記給湯器２７の遠隔操作の機能に加え、前記ガイダンス発信機能と前記音楽再生機能とを備えており、図１には、これらの機能を実行するための構成が、ブロック図により示されている。
【００５３】
同図に示すように、リモコン装置１は、給湯関連情報変更検知部５１、ガイダンス発信指令部５２、音楽音量入力設定部５３、ガイダンス音量可変設定手段５４、ガイダンス発信動作部５５、メモリ部５６、ガイダンス優先音楽音量調節手段５７、ガイダンス音量入力設定部５８、音楽受信再生手段５９と、前記スピーカ３４とを有しており、前記の如く、台所リモコン２と給湯器２７の制御装置３に電気的に接続されている。
【００５４】
給湯関連情報変更検知部５１は、リモコン装置１または台所リモコン２の設定スイッチ２８ａ，２８ｂの操作等によって、給湯設定温度や湯張りの水位等の給湯関連情報が変更されたときに、この変更情報を検知してガイダンス発信指令部５２に加える。
【００５５】
ガイダンス発信指令部５２は、予め定められた条件に基づき、設定音声ガイダンスの発信指令を行うものであり、例えば給湯関連情報変更検知部５１から給湯関連情報の変更情報が加えられたときには、設定音声ガイダンスの発信指令をガイダンス発信動作部５５に加える。また、ガイダンス発信指令部５２は、制御装置３の制御情報を検知し、例えば前記自動湯張り動作が終了したときや、リモコン装置１の追い焚きスイッチ３３がオンされて浴槽湯水の追い焚きが開始される時等にも、設定音声ガイダンスの発信指令をガイダンス発信動作部５５に加える。
【００５６】
ガイダンス発信動作部５５は、ガイダンス発信指令部５２から設定音声ガイダンスの発信指令が加えられると、この指令内容に基づき、メモリ部５６に予め格納されている設定音声ガイダンスを取り込み、例えば「湯張りを開始します」といった設定音声ガイダンスをスピーカ３４から発信させる。
【００５７】
ガイダンス音量入力設定部５８は、前記ガイダンス発信動作部５５の動作によってスピーカ３４から発信される設定音声ガイダンスの発信の音量を、利用者による入力設定操作にしたがい、設定するものである。本実施形態例において、設定音声ガイダンスの発信音量は段階的に異なる複数のレベル（ここでは、「０」「小」「中」「大」の４段階）により与えられており、これらのレベルから適宜のレベルが選択され、設定される。
【００５８】
なお、本実施形態例において、リモコン装置１の前記選択スイッチ２９は、前述の給湯温度等の各設定モードを切り替えることに加え、設定音声ガイダンスの音量設定モードと、音楽再生機能の動作による音楽再生の音量設定モードとの切り替えも行うように構成されており、利用者は、選択スイッチ２９によって設定音声ガイダンスの音量設定モードを選択し、表示画面３２の表示を、図２（ａ）に示すような表示として、設定スイッチ２８ａ，２８ｂを押すことにより、音量レベルを上昇又は下降させて設定音声ガイダンスの音量を調節する。
【００５９】
設定スイッチ２８ｂを押すごとに、音量「０」から「小」へ、「小」から「中」へ、「中」から「大」へというように、音量レベルが１つずつ上昇し、設定スイッチ２８ａを押すごとに、音量「大」から「中」へ、「中」から「小」へ、「小」から「０」へというように、音量レベルが１つずつ下降するので、表示画面３２に表示される音声レベルを所望の音量レベルにしたところで、選択スイッチ２９を押すと、前記所望の音量レベルで設定音声ガイダンス発信の音量が設定される。
【００６０】
また、本実施形態例において、音楽プレーヤー４１の音楽情報は、音楽受信再生手段５９により受信されて再生され、スピーカ３４から発信されるものである。音楽受信再生手段５９は、台所リモコン２が受信した音楽プレーヤー４１の音楽情報が、台所リモコン２からリモコン装置１に送られたときに、その音楽情報を受信して再生する。なお、実際には、台所リモコン２から送られる音楽情報の信号は、制御装置３を介してリモコン装置１に送られるものであるが、図１では、動作を分かりやすくするために、台所リモコン２からリモコン装置１の音楽受信再生手段５９に音楽情報が加えられるものとして示している。
【００６１】
音楽受信再生手段５９による音楽再生の音量は、利用者による入力設定操作にしたがい、音楽音量入力設定部５３によって設定される。利用者は、選択スイッチ２９を押して音楽の音量設定モードを選択し、表示画面３２の表示を、図２（ｂ）に示すような表示とし、設定スイッチ２８ａ，２８ｂを押すことにより、音量レベルを「０」「小」「中」「大」の４段階で上昇又は下降させて音楽情報再生の音量レベルを調節する。この操作は、ガイダンス音量入力設定部５８による設定音声ガイダンスの音量設定の仕方と同様であるので、その説明は省略する。
【００６２】
なお、音楽情報再生の音量は、リモコン装置１側で調節するレベルと音楽プレーヤー４１の方で調節される音量との両方により決定されるので、設定音声ガイダンスの音量とレベルが同じでも（例えばどちらも「大」のレベルとしても）、発信音量が同じになるとは限らず、音楽情報再生音量はその時々で変動する。
【００６３】
ガイダンス優先音楽音量調節手段５７は、前記音楽再生機能の動作中に、前記設定音声ガイダンスの発信指令が発せられたときに、前記音楽情報の再生の音量を小さくするものである。ガイダンス優先音楽音量調節手段５７は、前記ガイダンス発信指令部５２による設定音声ガイダンスの発信指令とガイダンス発信動作部５５の動作信号とを取り込み、音楽再生機能の動作中に設定音声ガイダンスの発信指令が発せられたときには、音楽受信再生手段５９による音楽再生の音量レベルを強制的に「小」にする。
【００６４】
つまり、例えば図３の（ａ）の特性線ａに示すように、設定音声ガイダンスの発信指令が発せられる前（図のＡの期間）に、音楽音量入力設定部５３により入力設定されていた音楽再生の音量レベルが、「中」であっても、「大」であっても（この図では、「大」）、設定音声ガイダンスの発信指令が発せられたときには、このときから、設定音声ガイダンスの発信動作が終了するまでの間（図のＢの期間）は、音楽再生の音量レベルを強制的に「小」にする。
【００６５】
ガイダンス音量可変設定手段５４は、音楽再生機能の動作中に設定音声ガイダンスの発信指令が発せられたときに、前記設定音声ガイダンスの発信音量を音楽音量よりも大きく可変設定するものである。ガイダンス音量可変設定手段５４は、音楽受信再生手段５９による音楽再生中の信号を取り込み、この音楽再生機能の動作中に設定音声ガイダンスの発信指令が発せられたときには、前記設定音声ガイダンスの発信音量のレベルを、前記ガイダンス音量入力設定部５８により設定されているレベルがどの大きさであっても、強制的に、最大レベル（つまり、ここでは「大」のレベル）に設定する。
【００６６】
そうすると、前記ガイダンス発信動作部５５による発信されるガイダンスの音量は、前記ガイダンス音量入力設定部５８により設定されていたレベルがどの大きさであっても、ガイダンス音量可変設定手段５４により可変設定された音量値、つまり、ここでは最大レベルである「大」のレベルで、例えば図３（ａ）の特性線ｂに示すように、図のＢの期間に設定音声ガイダンスを発信する。なお、図３の各図において、特性線ｂは、設定音声ガイダンスの音量を示すものである。
【００６７】
また、前記ガイダンス優先音楽音量調節手段５７は、設定音声ガイダンスの発信が終了した以降に、例えば図３（ａ）の特性線ａにおけるＣの期間に示すように、音楽情報の再生の音量を徐々に大きくしていき、前記設定音声ガイダンスの発信前の音量に戻す。なお、例えば図３（ｂ）の特性線ａに示すように、ガイダンス優先音楽音量調節手段５７は、設定音声ガイダンスの発信が終了したときに、即座に、音楽情報の再生の音量を前記設定音声ガイダンスの発信前の音量に戻すように設定してもよい。
【００６８】
本実施形態例は以上のように構成されており、リモコン装置１を用いて給湯器２７の操作や、ラジオ放送の視聴を行うことができることに加え、設定音声ガイダンスを聞くことによって給湯器２７を良好な使い勝手で利用でき、さらに、音楽プレーヤー４１を台所リモコン２に接続して音楽プレーヤー４１の音楽情報をリモコン装置１により再生し、入浴中に音楽を楽しむことができる。
【００６９】
そして、設定音声ガイダンスの音量や音楽再生の音量は、利用者によって所望の音量レベルに設定することができるので、風呂リモコン装置１を利用者の好みに合わせて快適に利用ができ、さらに、前記音楽再生中に設定音声ガイダンスの発信指令が発せられたときには、ガイダンス優先音楽音量調節手段５７が音楽情報の再生の音量を「小」レベルにし、ガイダンス音量可変設定手段５４が設定音声ガイダンスの音量を「大」レベルにするので、利用者は設定音声ガイダンスを的確に聞くことができる。そのため、使い勝手が非常によい、便利なリモコン装置１が実現できる。
【００７０】
また、本実施形態例では、ガイダンス優先音楽音量調節手段５７は、設定音声ガイダンスの発信が終了した以降に、音楽情報の再生の音量を徐々に大きくしていって設定音声ガイダンスの発信前の音量に戻すので、設定音声ガイダンスの発信前の音量が大きかった場合等でも、設定音声ガイダンスの発信終了後に、急に大きな音での音楽情報再生が行われることがなく、より快適に音楽を楽しむことができる。
【００７１】
なお、本発明は前記実施形態例に限定されることなく、様々な実施の形態を採り得る。例えば、前記実施形態例では、ガイダンス優先音楽音量調節手段５７は、音楽再生機能の動作中に設定音声ガイダンスの発信指令が発せられたときに、音楽情報の再生の音量を小さくしたが、この音楽情報の再生の音量を小さくする代わりに、音楽情報の再生音量を０にしてもよい。
【００７２】
また、前記実施形態例では、ガイダンス音量可変設定手段５４は、音楽再生機能の動作中に設定音声ガイダンスの発信指令が発せられたときに、設定音声ガイダンスの発信音量のレベルを最大レベルとしたが、設定音声ガイダンスの発信音量のレベルを、例えば「小」のときには「中」に、「中」のときには「大」にするといったように、設定音声ガイダンスの発信指令の発信前のレベルよりも予め定められたレベル分（この例では１レベル）だけ高く設定するようにしてもよい。
【００７３】
さらに、前記実施形態例では、設定音声ガイダンスの発信音量や音楽情報の発信音量を段階的に異なる複数のレベルにより与え、段階的に設定調節できるようにしたが、これらの発信音量は必ずしも段階的に与えるとは限らず、設定音声ガイダンスと音楽情報の発信音量の少なくとも一方を連続的に可変設定できるようにして連続的に設定調節できるようにしてもよい。
【００７４】
さらに、ガイダンス音量可変設定手段５４は、音楽再生機能の動作中に設定音声ガイダンスの発信指令が発せられたときに、前記設定音声ガイダンスの発信音量を音楽音量よりも大きく可変設定すればよく、その設定音声ガイダンスの発信音量の設定の仕方は適宜設定されるものである。
【００７５】
さらに、前記実施形態例では、例えば図３（ａ）に示したように、音楽再生機能の動作中に設定音声ガイダンスの発信指令が発せられたときには、音楽情報の再生の音量を即座に小さくするようにしたが、図３（ｃ）の特性線ａに示すように、音楽再生機能の動作中に設定音声ガイダンスの発信指令が発せられたときに、この時（図のＳのタイミング）から予め定められた設定時間（この図ではΔｔ）経過するまでの間に、音楽音量を徐々に小さくしていき、特性線ｂに示すように、前記設定時間経過後に、設定音声ガイダンスを発信するようにしてもよい。
【００７６】
さらに、本発明のリモコン装置は、音楽再生機能の動作中に設定音声ガイダンスの発信指令が発せられたときの、設定音声ガイダンスの音量と音楽音量とのレベル差を設定できる構成としてもよい。この場合、例えば図１の鎖線に示すように、レベル差検出手段４６とレベル差設定手段４７を設けてリモコン装置（前記実施形態例では風呂リモコン装置１）を構成する。
【００７７】
ここで、レベル差検出手段４６は、音楽音量入力設定部５３による音楽音量の入力信号とガイダンス音量入力設定部５８によるガイダンス音量の入力信号とを取り込んで、設定音声ガイダンスの発信指令が発信される前の設定音声ガイダンスの設定レベルと音楽音量の設定レベルとの差を検出し、その値を、レベル差設定手段４７に加える。なお、レベル差検出手段４６は、設定音声ガイダンスの設定レベルと音楽音量の設定レベルとの差を、常に時々刻々と検出し、その値を、常に、レベル差設定手段４７に加えておくようにしてもよい。
【００７８】
レベル差設定手段４７は、レベル差検出手段４６が検出したレベル差に応じ、このレベル差を大きくする方向に可変設定するものとし、このレベル差に応じて、ガイダンス優先音楽音量調節手段５７が音楽音量を調節し、ガイダンス音量可変設定手段５４が設定音声ガイダンスの発信音量を可変設定するようにする。
【００７９】
なお、レベル差設定手段４７が、音楽音量と設定音声ガイダンスの発信音量とのレベル差を設定する際、発信される設定音声ガイダンスの重要度に応じて前記レベル差を設定するようにすると、より好ましい。この場合、例えば、発信する設定音声ガイダンスの内容に応じ、その重要度を予め設定しておき、ガイダンス発信指令部５２から設定音声ガイダンスの発信指令を発する時に、その内容の重要度を示す信号を付加してレベル差設定手段４７に加えるようにする。そして、レベル差設定手段４７は、前記設定音声ガイダンスの内容の重要度に応じ、この重要度が高いほど、音楽音量のレベルと設定音声ガイダンスの発信音量のレベルの差を大きく設定するとよい。
【００８０】
例えば、台所側で給湯設定温度が低く変更されたことを、浴室の利用者が気づかずに、シャワーを利用しても、それにより火傷するような心配はないが、例えば、給湯設定温度を高い方に変更した場合などは、給湯温度が高めであること等を気づかずにシャワーを利用してしまうと、極端な場合には、火傷をする心配がある。そこで、このように、給湯設定温度を高い方に変更した場合等に発信する設定音声ガイダンスの重要度を高くし、音楽音量のレベルと設定音声ガイダンスの発信音量のレベルの差を大きく設定することにより、利用者は、重要度の高い設定音声ガイダンスほど聞きやすくなるので、給湯器等の熱源装置を、より安全で快適に利用できるようにすることができる。
【００８１】
なお、例えば台所設置のリモコン装置に、風呂設定温度の設定手段を設け、風呂設定温度が変更されたときにも、ガイダンス発信指令部５２が設定音声ガイダンスの発信指令を発するようにしてもよい。このようにすると、風呂設定温度が高く変更された場合等でも、不用意に入浴することを防止できる。特に、設定音声ガイダンスの重要度に応じ、重要度が高いほど音楽音量のレベルと設定音声ガイダンスの発信音量のレベルの差を大きく設定する構成において、風呂設定温度を高く変更した場合に発する設定音声ガイダンスの重要度を大きくすると、風呂設定温度が高く変更された場合に、不用意に入浴することをより確実に防止できる。
【００８２】
また、レベル差設定手段４７により音楽音量のレベルと設定音声ガイダンスの発信音量のレベルの差を設定する際、例えば図３（ｃ）に示すように、設定音声ガイダンスの発信指令が発せられてから、前記設定時間Δｔが経過するまでの間に音楽音量を徐々に小さくする場合には、レベル差設定手段４７は、発信された設定音声ガイダンスの重要度に応じて、その重要度が高いものは、その設定時間Δｔを小さくしたり、図の角度θを小さくしたりして、音楽音量レベルを下げる速度を速くするとよい。また、前記重要度がさらに高い場合には、前記設定時間Δｔや角度θを０にして、図３（ａ）、（ｂ）に示したように、設定音声ガイダンスの発信直後に、音楽音量を小さく（または０に）するとともに、設定音声ガイダンスの音量を大きくして発信するように設定するとよい。
【００８３】
さらに、本発明のリモコン装置に、給湯器２７等の熱源装置の状態を検出する、図１の鎖線に示すような緊急度判断部５０を設け、給湯設定温度が高く変更されたときに、例えば給湯流量を測定する流量センサ（フローセンサ）４の検出値が０のときには出湯がなされていないので緊急度が低いが、流量センサ４の検出値が０より大きい場合には、緊急度が高いので、緊急度判断部５０が、熱源装置から例えば６０℃といった高温の湯が出湯されるおそれがあると判断し、その緊急判断信号をガイダンス発信指令部５２に加え、「高温の湯が出湯されますので、火傷に注意して下さい」といったような、設定音声ガイダンスを発信する構成としてもよい。
【００８４】
そして、このような緊急の事態を知らせる設定音声ガイダンスの発信指令が、音楽情報の再生中に発信されたときには、その緊急度に応じて（例えば流量センサ４で検出する流量が大きいほどシャワー先で高温の湯が出湯されるまでの時間が短いので）、音楽音量と設定音声ガイダンスの発信音量とのレベル差を大きくしたり、図３（ｃ）における設定時間Δｔや角度θを調節したりし、例えば流量センサ４の検出流量がある（０でない）場合には、即座に音楽音量を０とし、設定音声ガイダンスの発信音量のレベルを最大とするようにすると、利用者は緊急度が高い設定音声ガイダンスを、たとえシャワー使用のために浴室内で音が聞き取りにくい状況であっても漏らさず聞くことができ、給湯器等の熱源装置を、より安全で快適に利用できるようにすることができる。
【００８５】
さらに、リモコン装置１において、音楽情報の音量や設定音声ガイダンスの発信音量を徐々に大きくしたり、徐々に小さくしたりする構成を有するものにおいては、例えば図３（ａ）、（ｃ）の特性線ｂに示した音楽音量のように、音量を連続的に大きくしたり小さくしたりしてもよいが、複数段の音量レベルを予め与えて音量を段階的に大きくしたり小さくしたりしてもよい。
【００８６】
さらに、ガイダンス優先音楽音量調節手段５７を設ければ、音楽再生機能の動作中に設定音量ガイダンスの発信指令が発信されたときに音楽情報の再生の音量を小さくできるので、ガイダンス音量可変設定手段５４は省略することもできる。
【００８７】
さらに、前記実施形態例では、給湯器２７の制御装置３を介して風呂用のリモコン装置１と台所リモコン２とを電気的に接続する例を述べたが、さらに、例えば洗面所等に設けられる増設のリモコン装置を、制御装置３を介して風呂用のリモコン装置１や台所リモコン２と電気的に接続してもよい。
【００８８】
さらに、前記実施形態例では、音楽プレーヤー４１として携帯型のプレーヤーを台所リモコン２に接続する例について述べたが、台所リモコン２等に接続される音楽プレーヤー４１は特に限定されるものではなく、適宜設定されるものであり、携帯型のプレーヤーよりも大型のものとしてもよい。また、その接続形態も前記実施形態例のように、接続線４２を介して音楽プレーヤー４１とリモコン装置とを接続するとは限らず、音楽プレーヤー４１を、無線により台所リモコン２等のリモコン装置に接続してもよい。
【００８９】
さらに、本発明のリモコン装置は、少なくとも、ガイダンス発信機能と、電気的に接続される音楽プレーヤーの音楽情報を再生する音楽再生機能とを有していればよく、その他のリモコン装置の形態、機能等は、特に限定されるものでなく、適宜設定されるものである。つまり、本発明のリモコン装置は、ラジオ放送や文字放送の受信および再生の機能を有していても、有していなくてもよいし、テレビ放送等の他の放送受信機能やインターホン機能等の付加機能付きのものでもよい。
【００９０】
さらに、前記実施形態例ではリモコン装置が接続される給湯器２７はガスを燃料とした給湯器としたが、給湯器等の熱源装置の熱源は、ガス、石油、電気を問わず、また、貯湯式のものでも構わない。また、前記実施形態例では、給湯器２７は、給湯機能、湯張り機能、保温機能、追い焚き機能、足し湯機能、ぬる湯機能を具備していたが、これらの全ての機能を具備していなくてもよく、また、他の機能を具備していてもよい。
【００９１】
さらに、本発明のリモコン装置は、風呂用のリモコン装置とするとは限らず、台所用のリモコン装置に本発明を適用してもよい。この場合、そのリモコン装置から台所で音楽を聞くことができ、また、音楽を聞いている途中で、風呂用のリモコン装置で給湯設定温度を変更された場合等に設定音声ガイダンスを的確に聞くことができ、前述した様々な効果により、リモコン装置と熱源装置を快適に利用することができる。
【００９２】
さらに、本発明のリモコン装置は、給湯器２７以外の、風呂釜や暖房装置等の熱源装置に信号接続されるものでもよいし、熱源装置以外の、インターホン等の装置に信号接続される屋内配置のリモコン装置としてもよい。
【図面の簡単な説明】
【００９３】
【図１】本発明に係るリモコン装置の一実施形態例における設定音声ガイダンス発信機能と音楽再生機能の実現のための構成を示すブロック構成図である。
【図２】前記実施形態例のリモコン装置における設定音声ガイダンスと音楽の音量設定モードの動作時の表示画面の動作説明図である。
【図３】前記実施形態例とその他の実施形態例のリモコン装置における音楽再生中に設定音声ガイダンスを発信する時の音量レベル調節例を説明する説明図である。
【図４】前記実施形態例の風呂リモコン装置の表示画面に給湯関連情報が表示されている状態を示す図である。
【図５】表示画面に給湯関連情報が表示されている状態の台所リモコンと音楽プレーヤーの接続形態例を説明する模式図である。
【図６】モデル例の給湯器と風呂用および台所用のリモコン装置との接続使用状況を示す図である。
【符号の説明】
【００９４】
１      リモコン装置（風呂リモコン装置）
２      台所リモコン（台所リモコン装置）
３      制御装置
２７    給湯器
２９    選択スイッチ
３２    表示画面
４０    入力端子表示部
４１    音楽プレーヤー
５１    給湯関連情報変更検知部
５２    ガイダンス発信指令部
５３    音楽音量入力設定部
５４    ガイダンス音量可変設定手段
５５    ガイダンス発信動作部
５６    メモリ部
５７    ガイダンス優先音楽音量調節手段
５８    ガイダンス音量入力設定部
５９    音楽受信再生手段
【図１】
2008185315.tif 000003
【図２】
2008185315.tif 000004
【図３】
2008185315.tif 000005
【図４】
2008185315.tif 000006
【図５】
2008185315.tif 000007
【図６】
2008185315.tif 000008